(57)【要約】      （修正有）【課題】水洗便器において、異物流出による排水管のつまりや浄化槽への異物混入を効果的に防ぐ異物流出ストッパを提供する。【解決手段】ほぼ同じ大きさの２つのリング（輪）２−１、２−２を、それらの中心を重ね、且つ、ほぼ直角に交わるよう接合し、その接合部３−１、３−２間を同素材のバー（棒）４で繋いだ構造である。水洗便器における貯水部分の排水口直前に設置することで、排泄後、水を流す（便器洗浄をする）際、排泄物およびトイレットペーパーは当該異物流出ストッパ１を容易に通過できるが、一定以上の大きさを有する不溶性の異物は当該異物流出ストッパ１を通過できずに留まるため、異物の流出を防止する。【選択図】図１
0003209705.tif 000002
【実用新案登録請求の範囲】
【請求項１】
ほぼ同じ大きさの２つのリング（輪）を、それらの中心を重ね、且つ、ほぼ直角に交わるよう接合し、その接合部間を同素材のバー（棒）で繋いだ構造である異物流出ストッパで、水洗便器における貯水部分の排水口直前に設置することで、排泄後、水を流す（便器洗浄をする）際、排泄物およびトイレットペーパーは当該異物流出ストッパを容易に通過できるが、一定以上の大きさを有する不溶性の異物は当該異物流出ストッパを通過できずに留まるため、異物の流出を防止することを特徴とする異物流出ストッパ。
【請求項２】
請求項１において、排水口直前に設置する当該異物流出ストッパの設置の向きについて、どのような向きに設置しても、一定以上の大きさを有する不溶性の異物を通過させない形状を特徴とする異物流出ストッパ。
【考案の詳細な説明】
【技術分野】
【０００１】本考案は水洗便器の使用者の故意または過失による異物流出を防止するストッパに関するものである。さらに、水洗便器の使用者以外の清掃管理者等が一目で水洗便器内の異物の存在について視認できる異物流出防止ストッパに関するものである。
【背景技術】
【０００２】現在、介護施設や公衆の水洗便器では排泄物以外の異物（尿パットやオムツ、ごみ等）に関して水洗便器の排水口を通過しうる形状を有するものについては、それらの故意または過失による流出を効果的に防止する方法や対策はほとんどなく、利用者の社会的な規律によって異物流出が防がれているのが現状である。しかし、理解力や判断力が低下した者や、悪質な悪戯などによって、異物流出による排水管のつまりおよび浄化槽への異物混入が発生する可能性は少なからずあり得る。一旦、下水の排水管に不具合が生じると、それらを修繕するための手間や費用を要する。
【先行技術文献】
【特許文献】
【０００３】
【特許文献１】特開２００３−１９９６８９
【考案の概要】
【考案が解決しようとする課題】
【０００４】尿パットやオムツ、ごみ等で形状や大きさが水洗便器の排水口を通過しうるものについては、水を流す（便器洗浄をする）前に、故意または過失によりそれらを便器に投入されると排水口から流れ出てしまう。そのため、流出した異物で排水管をつまらせる可能性があり、その後の水洗便器の使用が中断される事態が発生する。さらにそのような事象が発生した際、修繕のための手間や費用を要する。
【課題を解決するための手段】
【０００５】ほぼ同じ大きさの２つのリング（輪）を、それらの中心を重ね、且つ、ほぼ直角に交わるよう接合し、その接合部間を同素材のバー（棒）で繋いだ構造である異物流出ストッパで、水洗便器における貯水部分の排水口直前に設置することで、排泄後、水を流す（便器洗浄をする）際、排泄物およびトイレットペーパーは当該異物流出ストッパを容易に通過できるが、一定以上の大きさを有する不溶性の異物は当該異物流出ストッパを通過できずに留まるため、異物の流出を防止することを特徴とする異物流出ストッパ。【０００６】また、排水口直前に設置する当該異物流出ストッパの設置の向きについて、どのような向きに設置しても、一定以上の大きさを有する不溶性の異物を通過させない形状を特徴とする異物流出ストッパ。
【考案の効果】
【０００７】前記登録請求の範囲で述べたように、当該異物流出ストッパを使用することにより、異物混入が発生した状況で水洗便器の水を流しても（便器洗浄をしても）一定以上の大きさを有する不溶性の異物は当該異物流出ストッパを通過できずに留まることで、異物流出による排水口以降の排水管のつまりや浄化槽への異物混入を効果的に防ぐことができる。また、一目で水洗便器内の異物の存在を視認でき、その後、利用者や清掃管理者等によって容易に異物を取り除くことができる。
【図面の簡単な説明】
【０００８】
【図１】本考案ストッパの斜視図である。
【図２】本考案ストッパの斜視図である。
【図３】本考案ストッパの接合部側から見た平面図である。
【図４】本考案ストッパの使用・実施例である。
【図５】水洗便器の断面図に本考案ストッパを設置した図である。
【考案を実施するための形態】
【０００９】考案の形態の概要は図１、図２および図３に示す通りである。素材はビニール被膜金属、又は樹脂被膜金属、もしくはプラスチックであり、ほぼ同じ大きさ、且つ、同じ厚さのリング（輪）２−１とリング（輪）２−２を、それらの中心を重ねて、ほぼ直角に交わるように２つの交点で接合し、その接合部間を同素材のバー（棒）４で繋いだ構造である。なお、前記接合方法については溶接、またはプラスチック製の留め具により接合を行う。本考案は排水口８の直径よりも大径に形成されているため、排水口８以降の排水管９へ流出してしまうことはない。
【００１０】また、接合部３−１、および接合部３−２の間をバー（棒）４で繋いで補強していることにより、異物流出ストッパ１本体の強度を高め、且つ、どのような向きに設置しても、一定以上の大きさを有する不溶性の異物を通過させない効果を有する。尚、当該異物流出ストッパ１の構造については、構成しているリング（輪）の数は３つ以上であっても良い。
【実施例】
【００１１】本考案の使用方法については、異物流出ストッパ１を図４および図５に示す通り、水洗便器７の排水口８直前に、任意の向きで設置をし、そのまま静置させた状態で通常どおり水洗便器７を使用するというものである。用便をした後、水を流すと（便器洗浄をすると）排泄物やトイレットペーパーは異物流出ストッパ１および排水口８を通過して排水管９へと流出する。異物流出ストッパ１は水を流しても（便器洗浄をしても）自重により最初に設置されたまま静置している状態である。一定以上の大きさの不溶性の異物が水洗便器内に存在していた場合には、その異物は異物流出ストッパ１にかかって、流出せずにそこに留まる。【００１２】本考案を実施するにあたり具体的な材質及び寸法についてであるが、材質はステンレス鋼を使用する。ステンレス鋼は不動態皮膜により、さびの進行を防ぐが、使用される環境上、腐食が予測されるため、ステンレス鋼の周囲をビニールや樹脂で被覆する。被膜があることによって便器の表面に傷を与える心配もない。寸法については構成パーツであるリング（輪）２−１およびリング（輪）２−２の大きさは、直径およそ９センチメートル前後であり、リング（輪）を構成しているステンレス鋼の厚みは２ミリメートルから５ミリメートルほどである。【００１３】利用者や清掃管理者によって、異物流出ストッパ１にかかって留まっている異物を視認した際は、異物のみを、または異物と異物流出ストッパ１の両方を水洗便器７の貯水部から引き上げ、取り出し、異物は取り除いて廃棄し、異物流出ストッパ１は再び水洗便器７の貯水部の排水口８直前に任意の向きで設置し、静置させた状態で水洗便器７を使用する。
【産業上の利用可能性】
【００１４】本考案は特に介護施設または公衆トイレなどで異物流出防止を目的とした需要があるものと思われる。
【符号の説明】
【００１５】１．    異物流出ストッパ
２−１．リング（輪）
２−２．リング（輪）
３−１．接合部
３−２．接合部
４．    バー（棒）
５．    便座
６．    フタ
７．    水洗便器
８．    排水口
９．    排水管
１０．  貯水タンク
【図１】
0003209705.tif 000003
【図２】
0003209705.tif 000004
【図３】
0003209705.tif 000005
【図４】
0003209705.tif 000006
【図５】
0003209705.tif 000007